【事件の表示】
　特許第３０２５３８８号「遊技機」の請求項１に係る特許に対する特許異議の申立てについて、次のとおり決定する。
【結　論】
　訂正を認める。
　特許第３０２５３８８号の請求項１に係る特許を取り消す。
【理　由】
１．手続の経緯
　本件特許第３０２５３８８号の請求項１に係る発明は、平成５年４月２７日に特許出願され、平成１２年１月２１日にその設定登録がなされ、その後、中村弘美より特許異議の申立てがなされ、平成１３年７月１６日付けで取消理由通知がなされ、その指定期間内である平成１３年９月２５日に訂正請求がなされたものである。
２．訂正の適否についての判断
　（１）訂正請求の内容　
　特許権者が求めている訂正の内容は、以下のとおりである。
訂正事項ａ  
　特許明細書の特許請求の範囲の請求項１の「回転軸」を「連結軸」に訂正する。
訂正事項ｂ　
　特許明細書の特許請求の範囲の請求項１の「前記第３連結軸と第７連結軸との距離を、前記第４連結軸と第６連結軸との距離よりも短くしたことを特徴とする遊技機。」を「前記第３連結軸と第７連結軸との距離を、前記第４連結軸と第６連結軸との距離よりも短く、前記第２連結軸は、前記前面扉の閉止時において前記第１連結軸と第５連結軸の軸心を結ぶラインよりも筺体取付部材側に位置し、前記第１連結軸は、前面扉の開放時において前記第２連結軸と前記第７連結軸とを結ぶラインよりも反筺体取付部材側に位置するようにしたことを特徴とする遊技機。」に訂正する。
訂正事項ｃ　
　特許明細書の段落番号「０００５」の「回転軸」を「連結軸」に訂正する。
訂正事項ｄ　
　特許明細書の段落番号「０００５」の第２パラグラフの「前記第３連結軸（１１２）と第７連結軸（１１６）との距離を、前記第４連結軸（１１３）と第６連結軸（１１５）との距離よりも短くし、前記第３連結軸（１１２）と第７連結軸（１１６）との距離を、前記第４連結軸（１１３）と第６連結軸（１１５）との距離よりも短くしたことを特徴とする。」を「前記第３連結軸（１１２）と第７連結軸（１１６）との距離を、前記第４連結軸（１１３）と第６連結軸（１１５）との距離よりも短くし、前記第２連結軸（１１１）は、前記前面扉（４０）の閉止時においては前記第１連結軸（１１０）と第５連結軸（１１４）の軸心を結ぶラインよりも筺体取付部材側に位置し、前記第１連結軸（１１０）は、前記前面扉（４０）の開放時においては前記第２連結軸（１１１）と前記第７連結軸（１１６）とを結ぶラインよりも反筺体取付部材側に位置するようにしたことを特徴とする。」に訂正する。
　（２）訂正の目的の適否、新規事項の有無及び拡張変更の存否
　i．上記訂正事項ａは、特許明細書の特許請求の範囲の請求項１に記載された「回転軸」を誤記の訂正を目的として、「連結軸」と訂正しようとするものであり、「回転軸」が「連結軸」の誤記であることは、特許請求の範囲における、この「回転軸」なるものが２つの部材を軸着する機能のものであるとの記載、発明の詳細な説明、図面の簡単な説明における符号の説明及び図面の記載から明らかであるから、この訂正事項ａは、特許法第１２０条の４第２項ただし書き第２号に規定する誤記の訂正を目的とするものであり、願書に添付した明細書に記載した事項の範囲内の訂正であり、実質上特許請求の範囲を拡張し又は変更するものでもない。
　ii．上記訂正事項ｂは、特許明細書の特許請求の範囲の請求項１に記載された「第２連結軸」と「第１連結軸」とを、それぞれ「前記第２連結軸は、前記前面扉の閉止時において前記第１連結軸と第５連結軸の軸心を結ぶラインよりも筺体取付部材側に位置し、」と「前記第１連結軸は、前面扉の開放時において前記第２連結軸と前記第７連結軸とを結ぶラインよりも反筺体取付部材側に位置するようにした」と限定するものであるから、特許法第１２０条の４第２項ただし書き第１号に規定する特許請求の範囲の減縮を目的とするものであり、「第２連結軸」が前面扉の閉止時において第１連結軸と第５連結軸の軸心を結ぶラインよりも筺体取付部材側に位置した点については願書に添付した図面の図１に、又、「第１連結軸」が前面扉の開放時において第２連結軸と第７連結軸とを結ぶラインよりも反筺体取付部材側に位置した点については願書に添付した図面の図３に示されているので、この訂正は願書に添付した明細書に記載した事項の範囲内のものであり、実質上特許請求の範囲を拡張し又は変更するものでもない。
　iii．上記訂正事項ｃは、上記訂正事項ａにおける誤記の訂正に対応して、特許請求の範囲と発明の詳細な説明との整合を計るために訂正する特許法第１２０条の４第２項ただし書き第３号に規定する明りようでない記載の釈明を目的とするものであり、この訂正事項ｃは、願書に添付した明細書に記載した事項の範囲内の訂正であり、実質上特許請求の範囲を拡張し又は変更するものでもない。　
iv．上記訂正事項ｄは、上記訂正事項ｂにおける特許請求の範囲の減縮に対応して、特許請求の範囲と発明の詳細な説明との整合を計るために訂正する特許法第１２０条の４第２項ただし書き第３号に規定する明りようでない記載の釈明を目的とするものであり、この訂正事項ｄは、願書に添付した明細書に記載した事項の範囲内の訂正であり、実質上特許請求の範囲を拡張し又は変更するものでもない。
　（３）むすび
　したがって、上記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書き及び第２項の規定に適合するので、当該訂正を認める。        
３．特許異議申立てについての判断
　（１）取消理由の概要 
　当審が平成１３年７月１６日付けで通知した取消理由の理由（２）の概要は、以下のとおりである。
【理由２】
　本件発明は、下記の先願の願書に最初に添付された明細書又は図面に記載された発明と同一であり、特許法第２９条の２第１項の規定に違反してなされたものであるので、本件特許は、取り消されるべきものである。
　先　願：特願平４−３６０９７１号（特開平６−１９８０５３号）（甲第４号証）
（２）本件発明
　本件請求項１に係る発明は、その訂正明細書及び図面の記載からみて、その特許請求の範囲の請求項１に記載された、以下の事項により特定されるものである。
　「【特許請求の範囲】【請求項１】前面が開放された筺体と、この筺体の前面開放部にヒンジ装置を介して開閉可能に支持された前扉とを備えた遊技機において、上記ヒンジ装置は、前記筺体の−側の側板の内側面に取り付ける筺体取付部材と、前記前扉の一側の裏面に取り付ける前扉取付部材と、前記筺体取付部材と前記前扉取付部材とを連結する第１リンク及び第２リンクとからなり、上記第１リンクは、一端同士を第１連結軸により軸着した第１基腕と第１連結腕とにより構成し、前記筺体取付部材に第１基腕の他端を第２連結軸により軸着するとともに、前記前扉取付部材に第１連結腕の他端を第３連結軸により軸着し、前記第２リンクは、一端同士を第４連結軸により軸着した第２基腕と第２連結腕とにより構成し、前記筺体取付部材の第１基腕軸着部より筺体の手前側に第２基腕の他端を第５連結軸により軸着するとともに、前記前扉取付部材の第１連結腕軸着部より前扉の中央側に第２連結腕の他端を第６連結軸により軸着し、前記第１連結腕の長さの途中と前記第２基腕の長さの途中とを第７連結軸により軸着し、前記第１連結軸と第２連結軸との距離を、前記第５連結軸と第７連結軸との距離よりも短くするとともに、前記第３連結軸と第７連結軸との距離を、前記第４連結軸と第６連結軸との距離よりも短く、前記第２連結軸は、前記前面扉の閉止時において前記第１連結軸と第５連結軸の軸心を結ぶラインよりも筺体取付部材側に位置し、前記第１連結軸は、前面扉の開放時において前記第２連結軸と前記第７連結軸とを結ぶラインよりも反筺体取付部材側に位置するようにしたことを特徴とする遊技機。」(以下、「本件発明」という。)
　（３）先願明細書（異議申立人中村弘美提出の甲第４号証）記載の発明
　i．当審が通知した取消の理由に引用した先願明細書〔特願平４−３６０９７１号（特開平６−１９８０５３号）の出願当初の明細書〕には、以下の記載が認められる。
「本実施例では、機内にセットされた遊技盤の遊技領域内にパチンコ球を発射して遊技を行うことができる一般的なパチンコ機を縦型弾球遊技機の一例として例示するが、本発明は、必ずしも一般的なパチンコ機に限定されるものではなく、例えば、所謂アレンジ式パチンコ機等にも応用されるものである。」（第３欄第１３行〜第１８行）、
「本実施例のパチンコ機では、その全体的な概要を図１〜図１３に略示するように、外郭保持枠をなす縦長方形状の外枠Ａと、この外枠Ａの開口前側に開閉可能に組み付けられた縦長方形状の前枠Ｂと、前枠Ｂの開口裏側に開閉可能に組み付けられたほぼ正方形状の装飾ガラス扉Ｃと、前記外枠Ａの関口内側に開閉及び着脱可能に組み付けられた縦長方形状のセット枠Ｄとが主体枠とされて、互いに図１４〜図２５に示すように組み付け、組み外し（開閉及び着脱可能）し得るようになっており、セット枠Ｄの前側に遊技盤Ｅが着脱交換可能に収容セットされ得るようになっている。また、上記した一部の主体枠には、主要構成部として前枠Ｂの下部に上の球受け皿Ｆ及び球送り装置Ｉがセットされている一方、外枠Ａの下部に下の球受け皿Ｇ及び打球発射装置Ｈが装備されており、また、セット枠Ｄの裏側に球処理機構部Ｊが装備されている。」（第３欄第１９行〜第３４行）、
「この本体枠１１の基枠部１２では、その内部左側の上下部位に外枠Ａと装飾ガラス扉Ｃに係る後述の連結支持手段３０と開閉支持手段８１とがそれぞれ設置され、内部右側に後述の施錠装置３７の掛け部側が設置されている。」（第４欄第３４行〜第３８行）、
「前述した外枠Ａと前枠Ｂとに係る前記上下の連結支持手段３０，３０については、双方共に同様な多節リンク機構形態のものとされている。即ち、主として図１９、図２３、図２４に示すように、外枠Ａの左側枠杆２の内側に位置決め固定された受け金具３１と、前枠Ｂの本体枠１１における基枠部１２の左内側に位置決め固定された掛け金具３２との間において、受け金具３１にピン連節された第１、第２アーム３３，３４と、掛け金具３２にピン連節された第３、第４アーム３５，３６とが互いにピン連節されている。そして、外枠Ａに対して前枠Ｂが前後方向へ引く押す動作されることに伴い、これら４つのアーム３３〜３６がパンタグラフ機構形式のように伸縮変化されることにより、前枠Ｂが軽快に開閉できるようになっている。【００１５】このように本実施例においては、外枠Ａと前枠Ｂとが受け金具３１と掛け金具３２とをビスで止着するだけで開閉可能に組み付けられるので、その組み付け時間を従来より短縮することができて作業能率を向上せしめることができ、しかも両枠Ａ，Ｂを共に起立させた楽な態勢で手早く組み付けることができる。また、本実施例においては、連結支持手段３０，３０が外枠Ａの内側にあるため、前枠Ｂを組み付けて閉じた状態では、連結支持手段３０，３０が内部に隠れるので、従来のように外枠と前枠とのヒンジ手段が外部に突出していたものに比べて、美観上優れているばかりでなく、外部からヒンジ部分に対する不正を行うことができず、また、持ち運びの際に突出したヒンジ部分をぶつけたりすることがない。更に、図２３及び図２４に示すように、前枠Ｂを開放した状態においては、前枠Ｂと外枠Ａとが比較的離れて位置させることができるので、後述するセット枠Ｄの前面にセットされる遊技盤Ｅの表面における釘調整作業やトラブルの修理が行い易いという利点もある。」（第５欄第２７行〜第６欄第８行）。
　ii．先願明細書である甲第４号証における前記摘示の記載及び第２４図によれば、先願明細書には、以下の発明が記載されているものと認められる。「縦長方形状の外枠Ａと、この外枠Ａの開口前側に連結支持部材３０を介して開閉可能に組み付けられた縦長方形状の前枠Ｂとを備えた縦型弾球遊技機において、外枠Ａの左側枠杆２の内側に位置決め固定された受け金具３１と、前枠Ｂの本体枠１１における基枠部１２の左内側に位置決め固定された掛け金具３２と、受け金具３１と掛け金具３２とを連節する第１アーム３３と第３アーム３５及び第２アーム３４と第４アーム３６とからなり、第１アーム３３と第３アーム３５は一端同士をピンにより連節し、受け金具３１に第１アーム３３の他端をピンにより連節するとともに、掛け金具３２に第３アーム３５の他端をピンにより連節し、第２アーム３４と第４アーム３６は、一端同士をピンにより連節し、受け金具３１の第１アーム３３との連節部より外枠Ａの手前側に第２アーム３４の他端をピンにより連節するとともに、掛け金具３２の第３アーム３５との連節部より前枠Ｂの中央側に第４アーム３６の他端をピンにより連節し、第３アーム３５の長さの途中と第２アーム３４の長さの途中とをピンにより連節し、第１アーム３３の受け金具３１との連節部から第３アーム３５との連節部までの距離を、第２アーム３４の受け金具３１との連節部から第３アーム３５との連節部までの距離よりも短くするとともに、第３アーム３５の掛け金具３２との連節部から第２アーム３４との連節部までの距離を、第４アーム３６の掛け金具３２との連節部から第２アーム３４との連節部の距離よりも短くし、第１アーム３３と第３アーム３５を連節するピンは、前枠Ｂの解放時において第１アーム３３と受け金具３１を連節するピンと第３アーム３５と第２アーム３４の長さの途中を連節するピンとを結ぶライン上にほぼ位置するようにした遊技機。」、（以下、「先願発明」という。）
　（４）対比・判断
　本件発明と先願発明とを対比すると、
　先願発明における「外枠Ａ」、「連結支持部材３０」、「前枠Ｂ」、「縦型弾球遊技機」、「受け金具３１」、「掛け金具３２」、「第１アーム３３と第３アーム３５」、「第２アーム３４と第４アーム３６」、「連節ピン」、「第１アーム３３と第３アーム３５の一端同士を連節したピン」、「連節」、「第１アーム３３」、「第３アーム３５」、「受け金具３１に第１アーム３３を連節したピン」、「掛け金具３２と第３アーム３５を連節したピン」、「第２アーム３４と第４アーム３６の一端同士を連節したピン」、「第２アーム３４」、「第４アーム３６」、「受け金具３１に第２アーム３４を連節したピン」、「掛け金具３２と第４アーム３６を連節したピン」、「第３アーム３５の長さの途中と第２アーム３４の長さの途中とを連節したピン」は、それぞれ、
　本件発明における「筺体」、「ヒンジ装置」、「前扉」、「遊技機」、「筺体取付部材」、「前扉取付部材」、「第１リンク」、「第２リンク」、「連結軸」、「第１連結軸」、「軸着」、「第１基腕」、「第１連結腕」、「第２連結軸」、「第３連結軸」、「第４連結軸」、「第２基腕」、「第２連結腕」、「第５連結軸」、「第６連結軸」、「第７連結軸」に相当する。
　そうすると、本件発明と先願発明の両者は、以下の点でそれぞれ一致ならびに相違するものと認められる。
　一致点：前面が開放された筺体と、この筺体の前面開放部にヒンジ装置を介して開閉可能に支持された前扉とを備えた遊技機において、上記ヒンジ装置は、前記筺体の−側の側板の内側面に取り付ける筺体取付部材と、前記前扉の一側の裏面に取り付ける前扉取付部材と、前記筺体取付部材と前記前扉取付部材とを連結する第１リンク及び第２リンクとからなり、上記第１リンクは、一端同士を第１連結軸により軸着した第１基腕と第１連結腕とにより構成し、前記筺体取付部材に第１基腕の他端を第２連結軸により軸着するとともに、前記前扉取付部材に第１連結腕の他端を第３連結軸により軸着し、前記第２リンクは、一端同士を第４連結軸により軸着した第２基腕と第２連結腕とにより構成し、前記筺体取付部材の第１基腕軸着部より筺体の手前側に第２基腕の他端を第５連結軸により軸着するとともに、前記前扉取付部材の第１連結腕軸着部より前扉の中央側に第２連結腕の他端を第６連結軸により軸着し、前記第１連結腕の長さの途中と前記第２基腕の長さの途中とを第７連結軸により軸着し、前記第１連結軸と第２連結軸との距離を、前記第５連結軸と第７連結軸との距離よりも短くするとともに、前記第３連結軸と第７連結軸との距離を、前記第４連結軸と第６連結軸との距離よりも短くした遊技機。  
　相違点１：第２連結軸が、本件発明では、前面扉の閉止時において第１連結軸と第５連結軸の軸心を結ぶラインよりも筺体取付部材側に位置しているのに対して、先願発明では、前面扉の閉止時について記載がない点。
　相違点２：第１連結軸が、本件発明では、前面扉の開放時において第２連結軸と第７連結軸とを結ぶラインよりも反筺体取付部材側に位置しているのに対して、先願発明では、第２連結軸と第７連結軸とを結ぶライン上にほぼ位置している点。
　そこで、前記相違点１を検討するに、閉止時において第２連結軸をどの位置にするかは、本件発明や先願発明のような構成のヒンジ手段を設けた前扉を、前面に取り付けた部材が他の遊技機の部材等と緩衝することなく、十分に開くようにするために、おのずと定まる事項にすぎず、本件発明のように第２連結軸を筺体取付部材側に位置させることは、単なる設計上の事項にすぎなく、この点が格別の技術的意義を有する構成とは認められない。
　次に、前記相違点２を検討するに、先願発明において、第２連結軸と第７連結軸とを結ぶほぼライン上に位置している第１連結軸を本件発明のように反筺体取付部材側に位置させても、作用効果に格別の差異も生じず、技術的意義も認められないので、第１連結軸が第２連結軸と第７連結軸とを結ぶラインよりも反筺体取付部材側に位置するようにした点は、単なる設計上の事項にすぎない。      　
　よって、本件発明は、先願発明と実質的に同一であるので、特許法第２９条の２第１項の規定により特許を受けることができない。
（５）むすび
　以上のとおりであるから、本件発明は、その出願日前の出願であって、その出願日後に出願公開された先願（甲第４号証）の願書に最初に添付した明細書又は図面に記載された発明と同一であると認められ、しかも本件発明の発明者は前記先願の発明者と同一でもなく、本件出願の時において、その出願人が上記先願の出願人と同一でもないので、本件発明の特許は、特許法第２９条の２第１項の規定に違反してされたものである。
　したがって、本件発明についての特許は拒絶の査定をしなければならない特許出願に対してなされたものと認める。
　よって、特許法等の一部を改正する法律（平成６年法律第１１６号）附則第１４条の規定に基づく、特許法等の一部を改正する法律の一部の施行に伴う経過措置を定める政令（平成７年政令第２０５号）第４条第２項の規定により、結論のとおり決定する。
【異議決定日】
平成１４年１月２９日（２００２．１．２９）
【訂正の要旨】
　訂正の要旨
　１．訂正事項ａ
　特許明細書の特許請求の範囲の請求項１の「回転軸」を、誤記の訂正を目的として「連結軸」に訂正する。
２．訂正事項ｂ
　特許明細書の特許請求の範囲の請求項１の「前記第３連結軸と第７連結軸との距離を、前記第４連結軸と第６連結軸との距離よりも短くしたことを特徴とする遊技機。」を、特許請求の範囲の減縮を目的として「前記第３連結軸と第７連結軸との距離を、前記第４連結軸と第６連結軸との距離よりも短く、前記第２連結軸は、前記前面扉の閉止時において前記第１連結軸と第５連結軸の軸心を結ぶラインよりも筺体取付部材側に位置し、前記第１連結軸は、前面扉の開放時において前記第２連結軸と前記第７連結軸とを結ぶラインよりも反筺体取付部材側に位置するようにしたことを特徴とする遊技機。」に訂正する。
３．訂正事項ｃ
　特許明細書の段落番号「０００５」の「回転軸」を、誤記の訂正を目的として「連結軸」に訂正する。
４．訂正事項ｄ
　特許明細書の段落番号「０００５」の第２パラグラフの「前記第３連結軸（１１２）と第７連結軸（１１６）との距離を、前記第４連結軸（１１３）と第６連結軸（１１５）との距離よりも短くし、前記第３連結軸（１１２）と第７連結軸（１１６）との距離を、前記第４連結軸（１１３）と第６連結軸（１１５）との距離よりも短くしたことを特徴とする。」を、明りょうでない記載の釈明を目的として「前記第３連結軸（１１２）と第７連結軸（１１６）との距離を、前記第４連結軸（１１３）と第６連結軸（１１５）との距離よりも短くし、前記第２連結軸（１１１）は、前記前面扉（４０）の閉止時においては前記第１連結軸（１１０）と第５連結軸（１１４）の軸心を結ぶラインよりも筺体取付部材側に位置し、前記第１連結軸（１１０）は、前記前面扉（４０）の開放時においては前記第２連結軸（１１１）と前記第７連結軸（１１６）とを結ぶラインよりも反筺体取付部材側に位置するようにしたことを特徴とする。」に訂正する。
（５４）【発明の名称】
遊技機
（５７）【特許請求の範囲】
　【請求項１】　前面が開放された筐体と、この筐体の前面開放部にヒンジ装置を介して開閉可能に支持された前扉とを備えた遊技機において、
　上記ヒンジ装置は、前記筐体の一側の側板の内側面に取り付ける筐体取付部材と、
前記前扉の一側の裏面に取り付ける前扉取付部材と、
　前記筐体取付部材と前記前扉取付部材とを連結する第１リンク及び第２リンクとからなり、
　上記第１リンクは、一端同士を第１
連結軸
連結軸
連結軸
　前記第２リンクは、一端同士を第４
連結軸
連結軸
連結軸
　前記第１連結腕の長さの途中と前記第２基腕の長さの途中とを第７
連結軸
　前記第１連結軸と第２連結軸との距離を、前記第５連結軸と第７連結軸との距離よりも短くするとともに、
　前記第３連結軸と第７連結軸との距離を、前記第４連結軸と第６連結軸との距離よりも短く、
　
前記第２連結軸は、前記前面扉の閉止時において前記第１連結軸と第５連結軸の軸心を結ぶラインよりも筐体取付部材側に位置し、
　前記第１連結軸は、前面扉の開放時において前記第２連結軸と前記第７連結軸とを結ぶラインよりも反筐体取付部材側に位置するようにし
【発明の詳細な説明】
　【０００１】
　【産業上の利用分野】
　本発明は、パチンコ機やスロットマシン等の遊技機に関し、特にその前扉を開閉するためのヒンジ装置の改良に関する。
　【０００２】
　【従来の技術】
　従来、パチンコ機やスロットマシン等の遊技機は、遊技機内部に収納した機器類の整備や調整等のために、遊技機の筐体の前面に開閉可能な前扉を設けてある。
　従来、前扉を筐体に取り付けるには、筐体の一側と前扉の一側とに蝶番を取り付け、この蝶番を回転支点として前扉を回転させながら開閉していた。
　【０００３】
　【発明が解決しようとする課題】
　しかし、上記した従来の蝶番では、前扉を開閉する際の回転支点は蝶番の支点であるため、前扉の一側と筐体の一側とが近接した状態で前扉が開閉するという問題点があった。
　すなわち、前扉を開いた場合、前扉の前面に取り付けた球供給皿等の部材が、この前扉を開いた遊技機の隣に設置してある遊技機の前面に取り付けた球供給皿等の部材に接触することとなる。このため、前扉を十分に開くことができず、筐体の内部に設けた機器の整備や調整が困難となる。また、遊技機の前面に取り付けた部材同士が接触するので、勢いよく前扉を開いた場合には、これらの部材が破損するおそれがある。
　【０００４】
　本発明は、上記した問題点に鑑み提案され、その目的とするところは、遊技機の前扉を開閉する際に、前扉前面に取り付けた部材が他の遊技機の部材等と緩衝することなく、前扉を十分に開くことができる遊技機のヒンジ装置を提供することにある。
　【０００５】
　【課題を解決するための手段】
　本発明は、上記した目的を達成するためのものであり、以下にその内容を図面に示した実施例を用いて説明する。
　請求項１記載の発明は、ヒンジ装置（３０）が、前記筐体（２０）の一側の側板の内側面に取り付ける筐体取付部材（５０）と、前記前扉（４０）の一側の裏面に取り付ける前扉取付部材（６０）と、前記筐体取付部材（５０）と前記前扉取付部材（６０）とを連結する第１リンク（７０）及び第２リンク（８０）とからなり、上記第１リンク（７０）は、一端同士を第１
連結軸
連結軸
連結軸
連結軸
連結軸
連結軸
連結軸
　
前記第２連結軸（１１１）は、前記前面扉（４０）の閉止時においては前記第１連結軸（１１０）と第５連結軸（１１４）の軸心を結ぶラインよりも筐体取付部材側に位置し、
　
前記第１連結軸（１１０）は、前記前面扉（４０）の開放時においては前記第２連結軸（１１１）と前記第７連結軸（１１６）とを結ぶラインよりも反筐体取付部材側に位置するようにし
　【０００６】
　【作用】
　したがって、請求項１記載の発明によれば、遊技機の筐体（２０）に取り付ける筐体取付部材（５０）と、前扉（４０）に取り付ける前扉取付部材（６０）とを一対の連結腕により連結し、この一対の連結腕の各腕の長さを規制しているので、前扉（４０）を開く際に、前扉（４０）が筐体（２０）から手前側に離れながら回転するとともに、前扉（４０）の回転支点が筐体（２０）の内側に向かって移動する。
　【０００７】
　したがって、前扉（４０）を開いた状態であっても、前扉（４０）前面に取り付けた部材が他の遊技機の部材等と緩衝することなく、前扉（４０）を十分に開くことができるので、筐体（２０）の内部に設けた機器の整備や調整が容易となるとともに、遊技機の前面に取り付けた部材同士が接触して、これらの部材が破損することがない。
　【０００８】
　【実施例】
　図１〜３は、本発明の一実施例を示すもので、図１は遊技機のヒンジ装置の平面図、図２はヒンジ装置の分解斜視図、図３は図１に対応し、前扉の開放状態を示すヒンジ装置の平面図である。
　図１中、１０は、遊技機としての例えばパチンコ機を示すものであり、このパチンコ機１０は、前面が開放された筐体２０と、この筐体２０の前面開放部にヒンジ装置３０を介して開閉可能に支持された前扉４０とを備えている。
　【０００９】
　上記ヒンジ装置３０は、図示しないが、筐体２０の前面開放部の上下に２個使用されている。
　より具体的には、前記ヒンジ装置３０は、図２に示すように、筐体２０の左側の側板２１の内側面に取り付ける筐体取付部材５０と、前扉４０の左側の裏面に取り付ける前扉取付部材６０と、筐体取付部材５０と前扉取付部材６０とを連結する第１リンク７０及び第２リンク８０とを備えている。
　【００１０】
　上記筐体取付部材５０は、図２に示すように、断面略コ字形をした軸受部５１と、この軸受部５１の開放側の上下端部からそれぞれフランジ状に延設した筐体取付部５２とからなる。
　上記筐体取付部５２には、図２に示すように、それぞれ２箇所のネジ孔５３…が開設してある。そして、両ネジ孔５３が筐体取付部５２が上下に並列となるようにして筐体取付部材５０を筐体２０の側板２１の内面に位置させ、ネジ孔５３にネジ５４を挿通し、ネジ５４の先端を筐体２０の側板２１にネジ込み、ネジ５４を締め付ける。これにより、筐体取付部材５０を筐体２０に取り付けることができる。
　【００１１】
　なお、筐体２０をプラスチックや金属等のようにネジ５４をネジ込むことができない部材により構成した場合には、図示しないが、筐体２０にボルト取付部を設け、筐体取付部５２のネジ孔にボルトを挿通し、ボルトの先端を筐体２０のボルト取付部に取り付けるようにしてもよい。
　前記軸受部５１の上下片には、図２に示すように、前後にそれぞれ上下一連となるように軸孔５５，５６が開設してある。
　【００１２】
　また、軸受部５１の上下片を連結する背面部の後方側は、図２示すように、切欠部５７となっている。
　前記前扉取付部材６０は、図２に示すように、断面略コ字形をした軸受部６１と、この軸受部６１の開放側の上下端部からそれぞれフランジ状に延設した前扉取付部６２とからなる。
　【００１３】
　上記前扉取付部６２には、図２に示すように、それぞれ２箇所のネジ孔６３が開設してある。そして、両ネジ孔６３が前扉取付部６２が上下に並列となり、かつ背面部が前扉４０の内側に入り込むようにして前扉取付部材６０を前扉４０の内面に位置させ、ネジ孔６３にネジ６４を挿通してネジ６４の先端を前扉４０にネジ込み、ネジ６４を締め付ける。これにより、前扉取付部材６０を前扉４０に取り付けることができる。
　【００１４】
　上記ネジ孔６３には、図２に示すように、ネジ６４の挿入方向に向かって縮径したテーパーを設け、このテーパーに合致する頭部を持つ皿ネジを使用すれば、ネジ６４の頭部が前扉取付部６２から突出して、前扉４０を閉じた際に筐体２０に接触することがない。
　なお、前扉４０をプラスチックや金属等のようにネジ６４をネジ込むことができない部材により構成した場合には、前扉４０にボルト取付部を設け、前扉取付部６２のネジ孔６３にボルトを挿通し、ボルトの先端を前扉４０のボルト取付部に取り付けるようにしてもよい。
　【００１５】
　前記軸受部６１の上下片には、図２に示すように、左右にそれぞれ上下一連となるように軸孔６５，６６が開設してある。
　前記第１リンク７０は、図２に示すように、一端同士を第１
連結軸
　上記第１基腕９０は、図２に示すように、一対の軸挿通部９１，９２の間を連結片９３により連結したものである。
　【００１６】
　上記一端側の軸挿通部９１を、筐体取付部材５０の軸受部５１に上下一連に設けた後側の両軸孔５５の間に位置させ、両軸孔５５と一端側の軸挿通部９１とに第２連結軸１１１を一連に挿通する。これにより、第１基腕９０を、図１に示すように、第２連結軸１１１を中心に、筐体取付部材５０に回転可能に取り付ける。
　なお、前記筐体取付部材５０の背面部に設けた切欠部５７は、第１基腕９０の連結片９３が回転できるように設けたものである。
　【００１７】
　前記第１連結腕１００は、図２に示すように、弓形をした一対の軸受片１０１，１０１の背面の中程を連結片１０２により連結したものである。上記連結片１０２の一端側の軸受片１０１には、先端部及び中央部にそれぞれ上下一連に軸孔１０３，１０３、１０４，１０４を開設してある。また、連結片１０２の他端側の軸受片１０１には、先端部に上下一連に軸孔１０５，１０５を開設してある。
　【００１８】
　そして、第１基腕９０の他端側の軸挿通部９２を、連結片１０２の一端側に位置する両軸受片１０１の先端部に設けた上下一連の両軸孔１０３の間に位置させ、両軸孔１０３と他端側の軸挿通部９２とに第１連結軸１１０を一連に挿通する。これにより、第１基腕９０を、図１に示すように、第１連結軸１１０を中心に、第１連結腕１００に回転可能に取り付ける。
　【００１９】
　また、連結片１０２の他端側に位置する軸受片１０１の先端部に、上下一連に設けた両軸孔１０５を、前扉取付部材６０の軸受部６１に上下に上下一連に設けた両軸孔６５の間に位置させ、第１連結腕１００の両軸孔１０５と、前扉取付部材６０の両軸孔６５とに第３連結軸１１２を一連に挿通する。これにより、第１連結腕１００を、図１に示すように、第３連結軸１１２を中心に、前扉取付部材６０に回転可能に取り付ける。
　【００２０】
　前記第２リンク８０は、図２に示すように、一端同士を第４連結軸１１３により回転可能に軸着した第２基腕１２０と第２連結腕１３０とからなる。
　上記第２基腕１２０は、図２に示すように、く字形をした一対の軸受片１２１，１２１の背面の一端側を連結片１２２により連結したものである。上記両軸受片１２１の両端部及び中央部にそれぞれ上下一連に軸孔１２３，１２３、１２４，１２４、１２５，１２５を開設してある。
　【００２１】
　前記第２連結腕１３０は、図２に示すように、く字形をした一対の軸受片１３１，１３１の背面の一端側を連結片１３２により連結したものである。上記両軸受片１３１の両端部には、それぞれ上下一連に軸孔１３３，１３３、１３４，１３４を開設してある。
　そして、第２基腕１２０の連結片１２２で連結されていない両軸受片１２１の先端部に上下一連に設けた両軸孔１２３の間に、筐体取付部材５０の軸受部５１に上下一連に設けた前側の両軸孔５６を位置させ、第２基腕１２０の両軸孔１２３と筐体取付部材５０の前側の軸孔５６とに第５連結軸１１４を一連に挿通する。これにより、第２基腕１２０を、図１に示すように、第５連結軸１１４を中心に、筐体取付部材５０に回転可能に取り付ける。
　【００２２】
　また、第２基腕１２０の連結片１２２で連結された側の両軸受片１２１の先端部に上下一連に設けた両軸孔１２５を、第２連結腕１３０の連結片１３２で連結された側の両軸受片１３１の先端部に上下一連に設けた両軸孔１３３の間に位置させ、第２基腕１２０の両軸孔１２５と第２連結腕１３０の両軸孔１３３とに第４連結軸１１３を一連に挿通する。これにより、第２基腕１２０を、図１に示すように、第４連結軸１１３を中心に、第２連結腕１３０に回転可能に取り付ける。
　【００２３】
　さらに、第２連結腕１３０の連結片１３２により連結されていない軸受片１３１，１３１の先端部に上下一連に設けた軸孔１３４，１３４を、前扉取付部材６０の軸受部６１に上下に上下一連に設けた軸孔６７，６７の間に位置させ、第２連結腕１３０の軸孔１３４，１３４と、前扉取付部材６０の軸孔６７，６７とに第６連結軸１１５を一連に挿通する。これにより、第２連結腕１３０を、図１に示すように、第６連結軸１１５を中心に、前扉取付部材６０に回転可能に取り付ける。
　【００２４】
　また、第１連結腕１００の連結片１０２の一端側に位置する両軸受片１０１の中央部に上下一連に設けた両軸孔１０４の間に、第２基腕１２０の両軸受片１２１の中央部に上下一連に設けた両軸孔１２４を位置させ、第１連結腕１００の両軸孔１０４と第２基腕１２０の両軸孔１２４とに第７連結軸１１６を一連に挿通する。これにより、第１連結腕１００の途中に、図１に示すように、第７連結軸１１６を中心に、第２基腕１２０の途中を回転可能に取り付ける。
　【００２５】
　一方、前記した各連結軸１１０〜１１６を挿通した後に、図示しないが、連結軸１１０〜１１６の先端をかしめたり、連結軸１１０〜１１６の先端にＥリングを取り付ける等の方法により、連結軸１１０〜１１６の抜け止めを行う。
　次に、第１リンク７０及び第２リンク８０の各腕の取付位置について説明する。
　図１において、第１連結軸１１０と第２連結軸１１１との距離Ｌ１とし、第５連結軸１１４と第７連結軸１１６との距離Ｌ２とし、第３連結軸１１２と第７連結軸１１６との距離Ｌ３を、第４連結軸１１３と第６連結軸１１５との距離Ｌ４として説明する。
　【００２６】
　本発明では、
Ｌ１＜Ｌ２
となるように各腕を軸着するとともに、
Ｌ３＜Ｌ４
となるように各腕を軸着してある。
　【００２７】
　すなわち、第２連結軸１１１を回転中心とした第１連結軸１１０の回転半径は、第５連結軸１１４を回転中心とした第７連結軸１１６の回転半径よりも小さくなるため、図１において、第１基腕９０（第２連結軸１１１−第１連結軸１１０）及び第２基腕１２０（第５連結軸１１４−第７連結軸１１６）を時計回りに回転させると、第３連結軸１１２は左側から右側に向かって移動するとともに、筐体２０から手前側（図１の下側）に向かって離れるように移動することとなる。
　【００２８】
　また、第７連結軸１１６を回転中心とした第３連結軸１１２の回転半径は、第４連結軸１１３を回転中心とした第６連結軸１１５の回転半径よりも小さくなるため、図１において、第１基腕９０（第２連結軸１１１−第１連結軸１１０）及び第２基腕１２０（第５連結軸１１４−第７連結軸１１６）を時計回りに回転させると、第３連結軸１１２が左側から右側に向かって移動するとともに、第６連結軸１１５が右側から左側に向かって移動することとなる。
　【００２９】
　すなわち、第１基腕９０及び第２基腕１２０を時計回りに回転させると、前扉４０が筐体２０の手前側に向かって開き回転するとともに、前扉４０の回転中心は、筐体２０の手前側に離れながら筐体２０の右側に向かって移動することとなる。
　一方、第１基腕９０及び第２基腕１２０を反時計回りに回転させると、前扉４０が筐体２０に向かって閉じ回転するとともに、前扉４０の回転中心は、筐体２０の手前側から筐体２０に向かって移動しながら筐体２０の左側に向かって移動することとなる。
　【００３０】
　本発明では、前扉４０を閉じた状態から、前扉４０が筐体２０とほぼ直角に開く状態となるまでの間で、前扉４０が回転するように第２連結軸１１１〜第６連結軸１１５の軸着点を定めてある。なお、第２連結軸１１１〜第６連結軸１１５の軸着点を適宜変更することにより、前扉４０の開閉角度等を変更することができる。
　【００３１】
　【発明の効果】
　本発明は、以上のように構成されているので、以下に記載されるような効果を奏する。
　請求項１記載の発明によれば、遊技機の筐体に取り付ける筐体取付部材と、前扉に取り付ける前扉取付部材とを一対の連結腕により連結し、この一対の連結腕の各腕の長さを規制しているので、前扉を開く際に、前扉の回転中心が筐体から手前側に離れるとともに、筐体の内側に向かって移動する。
　【００３２】
　したがって、前扉を開いた場合に、前扉前面に取り付けた部材が他の遊技機の部材等と緩衝することなく、前扉を十分に開くことができるので、筐体の内部に設けた機器の整備や調整が容易となる。
　これに加え、遊技機の前面に取り付けた部材同士が接触して、これらの部材が破損することがないので、安心して遊技機の前扉を開くことができるとともに、修理等のコストを低減することができる。
【図面の簡単な説明】
　【図１】
　遊技機のヒンジ装置の平面図である。
　【図２】
　ヒンジ装置の分解斜視図である。
　【図３】
　図１に対応し、前扉の開放状態を示すヒンジ装置の平面図である。
　【符号の説明】
　　１０　　　　　遊技機としてのパチンコ機　　　　２０　　　　　筐体
　　２１　　　　　側板　　　　　　　　　　　　　　３０　　　　　ヒンジ装置
　　４０　　　　　前扉　　　　　　　　　　　　　　５０　　　　　筐体取付部材
　　５１　　　　　軸受部　　　　　　　　　　　　　５２　　　　　筐体取付部
　　５３　　　　　ネジ孔　　　　　　　　　　　　　５４　　　　　ネジ
　　５５，５６　　軸孔　　　　　　　　　　　　　　５７　　　　　切欠部
　　６０　　　　　前扉取付部材　　　　　　　　　　６１　　　　　軸受部
　　６２　　　　　前扉取付部　　　　　　　　　　　６３　　　　　ネジ孔
　　６４　　　　　ネジ　　　　　　　　　　　　　　６５，６６　　軸孔
　　７０　　　　　第１リンク　　　　　　　　　　　８０　　　　　第２リンク
　　９０　　　　　第１基腕　　　　　　　　　　　　９１，９２　　軸挿通部
　　９３　　　　　連結片　　　　　　　　　　　　１００　　　　　第１連結腕
　１０１　　　　　軸受片　　　　　　　　　　　　１０２　　　　　連結片
　１０３〜１０５　軸孔　　　　　　　　　　　　　１０６　　　　　軸挿通部
　１１０〜１１６　第１〜７連結軸　　　　　　　　Ｌ１〜Ｌ４　　　距離
　１２０　　　　　第２基腕　　　　　　　　　　　１２１　　　　　軸受片
　１２２　　　　　連結片　　　　　　　　　　　　１２３〜１２５　軸孔
　１３０　　　　　第２連結腕　　　　　　　　　　１３１　　　　　軸受片
　１３２　　　　　連結片　　　　　　　　　　　　１３３〜１３４　軸孔